(57)【要約】【課題】  前面パネルの上側に配置された紙幣や硬貨の投入口の近くに位置する見易い表示部を備えた台間機を提案すること。【解決手段】  台間機６の前面パネル１５は上側パネル１６と下側パネル１７から構成され、上側パネル１６には紙幣投入口１９が形成され、その下側には、紙幣による玉貸し出し動作が可能であるか否かなどの玉貸し出し処理に関する情報を表示するための表示部２０が配置されている。表示部２０の表示面２０ａは下向きに傾斜した前傾面とされ、ここに、入金可ランプ、各文字「千円のみ」「一括払出」「五百」「千」を表示可能である。遊技者が、隣の遊技台５に座った状態で表示面２０ａを見上げたときに、天井などに設置されている照明光が表示面２０ａに写り、表示面２０ａの表示内容が見え難くなることを回避できる。【選択図】  図３
2005342239.tif 000002
【特許請求の範囲】
【請求項１】
紙幣あるいは硬貨の投入口と、
少なくとも紙幣あるいは硬貨を投入可能であるか否かを表示するための表示部とを有し、
前記表示部は下向きに傾斜した傾斜表示面を備え、
前記傾斜表示面は前記投入口の上側あるいは下側に隣接配置されている遊技台用台間機。
【発明の詳細な説明】
【技術分野】
【０００１】
本発明は、パチンコ玉などの遊技媒体の貸し出しを行う遊技台用台間機に関し、特に、紙幣あるいは硬貨による遊技媒体の貸し出しが可能であるか否かなどの貸し出し処理に関する表示を行う表示部を備えた遊技台用台間機に関するものである。
【背景技術】
【０００２】
パチンコ台などの遊技台の間には、パチンコ玉などの遊技媒体を貸し出すための縦長で扁平な台間機が設置されている。台間機としては、カードと、紙幣あるいは硬貨による玉貸し機能を備えたものが知られており、この種の台間機は、縦長の前面パネルにカード挿入口と紙幣あるいは硬貨の投入口とが配置されている。また、釣銭切れや内蔵の紙幣識別機が故障中の場合には紙幣や硬貨による玉貸し動作ができないので、その旨を表示するための表示部も配置されている。
【０００３】
ここで、隣接の遊技台に座っている遊技者が貸し出されるパチンコ玉などを受け取り易いように、パチンコ玉などを払い出すためのノズルは、前面パネルにおける中程の高さ位置の所に取り付けられる。また、テンキーおよび液晶表示部を備えた操作部も操作し易いように、前面パネルの中程の高さ位置の所に配置される。したがって、紙幣や硬貨を投入するための投入口は一般に、前面パネルの上側部分に配置され、カード挿入口は前面パネルの下側部分に配置される。例えば、下記の特許文献１、２には、このように各部分が配置された台間機が開示されている。
【特許文献１】特開平９−２１５８５２号公報
【特許文献２】特開平５−４２２５４号公報
【発明の開示】
【発明が解決しようとする課題】
【０００４】
このように、台間機では、その前面パネルにおける上側部分に紙幣や硬貨の投入口が配置されている。この場合、紙幣や硬貨によるパチンコ玉などの貸し出しが可能であるか否かなどを表示するための表示部が、特許文献１に記載の台間機のように、投入口から離れた位置にあると、その表示を見落として、硬貨などが投入されてしまう危険性が高い。そこで、表示部を投入口の近く、例えば特許文献２に開示の台間機のように、硬貨投入口の上側に配置することが望ましい。
【０００５】
しかしながら、投入口は縦長の前面パネルの上側部分に配置されているので、その近傍に表示部を配置した場合には、表示部の配置位置が、必然的に、隣の遊技台に座っている遊技者の目の高さ位置よりも高くなってしまう。この結果、遊技者は表示部を見上げることになり、天井などに配置されている照明の光が表示部の表示面に写り、表示が見え難くなるという問題が発生する。
【０００６】
本発明の課題は、この点に鑑みて、紙幣や硬貨による玉貸し出し処理に関する情報を表示するための表示部が紙幣や硬貨の投入口の近くに見易い状態で配置された遊技台用台間機を提案することにある。
【課題を解決するための手段】
【０００７】
上記の課題を解決するために、本発明の遊技台用台間機は、
紙幣あるいは硬貨の投入口と、
少なくとも紙幣あるいは硬貨を投入可能であるか否かを表示するための表示部とを有し、
前記表示部は下向きに傾斜した傾斜表示面を備え、
前記傾斜表示面は前記投入口の上側あるいは下側に隣接配置されていることを特徴としている。
【発明の効果】
【０００８】
本発明の遊技台用台間機では、表示部の表示面が下向きに傾斜配置されているので、遊技者が表示面を見上げた場合に、表示面に天井などに配置されている照明が写ることがなく、表示が見易い。よって、本発明によれば、表示部を紙幣や硬貨の投入口が位置している台間機の前面パネルの上側部分に見易い状態で配置することができる。
【発明を実施するための最良の形態】
【０００９】
以下に、図面を参照して本発明を適用した遊技台用台間機を説明する。
【００１０】
図１は本実施の形態に係る遊技台用台間機を備えた遊技システムを示す部分正面図である。遊技システム１の基本的な構成は一般的なものであり、遊技島２を構成するための遊技島取付枠３と、この遊技島取付枠３に沿って取り付けられた複数の遊技ユニット４とを有している。各遊技ユニット４は、パチンコ台やスロット台などの遊技台５と、遊技台５の左側に隣接配置されている台間機(遊技台用台間機)６とを備えている。
【００１１】
図２(ａ)および(ｂ)は台間機６の正面図および側面図である。台間機６は、遊技島取付枠３に固定されている台間機ホルダ７と、この台間機ホルダ７に対して前方から水平に差し込み固定可能な台間機本体８から構成されている。台間機ホルダ７は、縦枠７ａと、この縦枠７ａの上下の端から前方に水平に延びている上側水平枠７ｂおよび下側水平枠７ｃとを備えている。下側水平枠７ｃには電源ユニット９が取り付けられており、この電源ユニット９の上面には縦枠７ａから前方に水平に延びるガイド枠７ｄが取り付けられている。このガイド枠７ｄと上側水平枠７ｂの間に、前方から台間機本体８が差し込まれている。
【００１２】
台間機本体８は、縦長の扁平な箱型のシャーシ１１と、このシャーシ１１に内蔵されているカードリーダライタ１２、制御器１３および紙幣識別機１４と、シャーシ１１の前面に取り付けられている前面パネル１５とを備えている。前面パネル１５は、上側パネル１６と下側パネル１７から構成されている。上側パネル１６には、その上側から順に、呼出ランプ１８、紙幣投入口１９、表示部２０および操作部２１が形成されている。下側パネル１７には、台間機本体８を引き抜く際に用いる摘み部分２２およびカード挿入口２３が形成されている。
【００１３】
図３(ａ)および(ｂ)は、台間機６の上側パネル１６を示す部分正面図および部分側面図である。図４(ａ)〜(ｃ)は、上面パネル１６の表示部２０を示す部分斜視図、部分分解斜視図、および部分断面図である。図５は表示部２０の表示形態を示す説明図である。
【００１４】
これらの図を参照して説明すると、上側パネル１６の前面は、その下端から表示部２０の途中の高さ位置までの部分が平坦な下側垂直面部分２４とされ、この上端から紙幣投入口１９の下端までの部分が上側に向かうに連れて前方に迫り出している前傾面部分２５とされ、この上端から上側パネル上端までの部分が平坦な上側垂直面部分２６となっている。上側垂直面部分２６には前方に円弧状に隆起した円弧面２７が形成されており、この円弧面２７の上端部分は呼出ランプ１８のレンズカバー前面によって形成されており、その下側には、紙幣投入口１９が上下に延びている。
【００１５】
表示部２０は、図４に示すように、上側パネル１６に形成されているパネル本体部分３１と、このパネル本体部分３１の前面部分に取り付けた表示板３２と、パネル本体部分３１の裏面に取り付けたＬＥＤ基板３３とを備えている。パネル本体部分３１の前面部分３１ａは、下側垂直面部分２４から前傾面部分２５に掛けて形成されており、前傾面部分２５と同様な前傾面とされ、ここに、前傾状態で表示板３２が取り付けられている。したがって、表示板３２の表示面３２ａも下向きに傾斜した傾斜表示面となっている。
【００１６】
表示板３２は、表面側の透明基板３２ｂと、裏面側の拡散板３２ｃと、これらの間に挟まれた文字板３２ｄからなる三層構造のプラスチック板である。文字板３２ｄは黒色の基板であり、その表面に、表示文字に対応する溝が形成された文字抜き部分３２ｅを備えている。この文字抜き部分３２ｅには、白色の文字基板が埋め込まれた表示文字部分３２ｆが形成されている。表示板３２の裏面側から光を当てると、表示面３２ａに表示文字が浮き上がり、視認可能になる。光が当たっていない状態では表示文字が消え、視認できない状態になる。
【００１７】
本例では、図５に示すように、表示板３２の上端部分の中央に、紙幣投入口１９に紙幣を投入可能な場合に点灯する入金可ランプ部分４１が配置され、この下側には、「千円のみ」を表示可能な文字表示部分４２が配置され、この下側には「一括払出」を表示可能な文字表示部分４３が配置され、この下側には「五百」を表示可能な文字表示部分４４が配置され、さらにこの下側には「千」を表示可能な文字表示部４５が配置されている。また、文字表示部分４２、４３の間の表示面部分には「入金可」の文字が印刷されており、「五百」の文字表示部分４４の横の表示面部分には「円分」の文字が印刷されており、「千」の文字表示部分４５の横の表示面部分には「玉貸」の文字が印刷されている。
【００１８】
入金可ランプ部分４１、各文字表示部分４２〜４５に対峙しているパネル本体部分３１には、図４(ｂ)から分かるように、投光用の貫通穴５１〜５５が形成されている。また、パネル本体部分３１の裏面に取り付けられているＬＥＤ基板３３の表面には、表示ランプおよび各表示文字に対応した個数のＬＥＤが配置されている。すなわち、各貫通穴５１〜５５に対峙する位置に、それぞれ、入金可ランプ用の１個のＬＥＤ６１、「千円のみ」の文字列表示用の４個のＬＥＤ群６２、「一括払出」の文字列表示用の４個のＬＥＤ群６３、「五百」の文字列表示用の２個のＬＥＤ群６４、および「千」の文字表示用の１個のＬＥＤ６５が配置されている。
【００１９】
このように構成されている表示部２０の表示形態を説明する。消灯時には、図５(ａ)に示すように、入金可ランプ部分４１が消えており、印刷文字「入金可」「円分」「玉貸」のみを視認できる。この表示形態は紙幣による玉の貸し出しができないことを表すものである。点灯時には、図５(ｄ)に示すように、入金可ランプ部分４１が点灯して紙幣による玉の貸し出しが可能であることを表示する。また、「千円のみ」、「一括払出」および「千」の文字表示部分４２、４３、４５を表示する。この表示形態は、千円紙幣のみが使用可能であり、千円分のパチンコ玉を一括で払い出すことを表している。表示形態としては、図５(ｂ)に示すように、「千」の文字表示部４５を点灯して、千円分の玉貸し出しが可能であることを表す形態と、図５(ｃ)に示すように、「五百」の文字表示部４４を点灯して、五百円分の玉貸し出しが可能であることを表す形態などがある。なお、図５(ｃ)に示す表示は、硬貨投入口および硬貨識別機が取り付けられ、硬貨による玉貸し出し動作を行うことのできる台間機の場合に用いられる。
【００２０】
このように構成した本例の台間機６では、紙幣による玉貸し出し動作が可能であるか否かなどの情報を表示するための表示部２０が紙幣投入口１９の下側に隣接した位置に配置されている。したがって、遊技者が表示部２０の表示を見落としてしまう事態を確実に回避できる。また、表示部２０の表示面２０ａは前面パネル１５の上側部分に配置されているが、前傾面とされている。したがって、遊技者が、隣の遊技台５に座った状態で表示面２０ａを見上げたときに、天井などに設置されている照明光が表示面２０ａに写り、表示面２０ａの表示内容が見え難くなることを回避できる。よって、表示部２０が紙幣投入口１９の近くに見やすい状態で配置された台間機６を実現できる。
【図面の簡単な説明】
【００２１】
【図１】本発明を適用した台間機を備えた遊技システムの部分正面図である。
【図２】(ａ)および(ｂ)は図１の遊技システムの台間機の正面図および側面図である。
【図３】(ａ)および(ｂ)は図２の台間機における前面パネルの上側パネルを示す部分正面図および部分側面図である。
【図４】(ａ)、(ｂ)および(ｃ)は図３の上側パネルにおける表示部を示す部分斜視図、部分分解斜視図、および部分断面図である。
【図５】(ａ)〜(ｄ)は表示部の表示形態を示す説明図である。
【符号の説明】
【００２２】
１    遊技システム
２    遊技島
３    遊技島取り付け枠
４    遊技ユニット
５    遊技台
６    台間機
１５  前面パネル
１６  上側パネル
１７  下側パネル
１９  紙幣投入口
２０  表示部
２０ａ  表示面
３１  パネル本体部分
３２  表示板
３３  ＬＥＤ基板
４１  入金可ランプ部分
４２〜４５  文字表示部分
５１〜５５  貫通穴
６１〜６５  ＬＥＤ
【図１】
2005342239.tif 000003
【図２】
2005342239.tif 000004
【図３】
2005342239.tif 000005
【図４】
2005342239.tif 000006
【図５】
2005342239.tif 000007